(57)【要約】【課題】装身具を購入した購入者自らが簡単に多様な形態に変形させることができ、また連結軸の部分が装飾用単位部材から側方に突き出て見えることがなく、前記装飾部材を備えた装身具の装飾性が損なわれないため非常に付加価値の高い、多様な形態を採用可能な装身具を提供することを目的とする。【解決手段】複数の装飾用単位部材を有し、各装飾用単位部材間を連結手段を用いて首振り可能に連結するとともに、適宜位置の装飾用単位部材どうしを保持手段を用いて接続することにより、所望の形態を保持させるようにしたことを特徴とする多様な形態を採用可能な装身具。【選択図】図９
2017205243.tif 000002
【特許請求の範囲】
【請求項１】
複数の装飾用単位部材を有し、各装飾用単位部材間を連結手段を用いて首振り可能に連結するとともに、適宜位置の装飾用単位部材どうしを保持手段を用いて接続することにより、所望の形態を保持させるようにしたことを特徴とする多様な形態を採用可能な装身具。
【請求項２】
前記装飾用単位部材は、台座に宝石が取り付けられた宝飾部材からなることを特徴とする請求項１に記載の多様な形態を採用可能な装身具。
【請求項３】
前記各装飾用単位部材間を首振り可能に連結する連結手段は、前記装飾用単位部材の１つの側面に突設された連結アームと、隣接する装飾用単位部材の中空内部のほぼ中央に立設された回動軸とを備え、この隣接する装飾用単位部材に設けられた開口部から導入された前記連結アームの先端を回動軸に軸着されて回動可能に連結したものであることを特徴とする請求項１または２に記載の多様な形態を採用可能な装身具。
【請求項４】
前記装飾用単位部材どうしを接続する保持手段は、前記装飾用単位部材の側面に固着された吸着部材からなることを特徴とする請求項１ないし３のいずれかに記載の多様な形態を採用可能な装身具。
【請求項５】
前記吸着部材は、磁石からなることを特徴とする請求項４に記載の多様な形態を採用可能な装身具。
【発明の詳細な説明】
【技術分野】
【０００１】
この発明はペンダント、イヤリング、指輪、ブレスレット、ブローチ等の装身具に係り、より詳しくは装飾部材を複数の装飾用単位部材で構成して各装飾用単位部材を変形自在に連結することにより多様な形態を採用可能な装身具に関するものである。
【背景技術】
【０００２】
従来この種の装身具としては、特開２００５−２２４４９３号公報（特許文献１参照）に示すような、複数の装飾用単位体で形成した装飾部と、この装飾部の止め具とで形成し、装飾用単位体は隣り合う単位体どうしを互いに回動自在に連結するとともに、止め具をチェーン状に形成して装飾部の任意の装飾用単位体に通して止め付け、隣り合う装飾用単位体どうしを連結するための連結部材を備えたもので、この連結部材の一端側を一方の装飾用単位体に、他端側を他方の装飾用単位体に、装飾用単位体の前後方向に延びる軸でそれぞれ回動可能に軸着したものが知られている。
【先行技術文献】
【特許文献】
【０００３】
【特許文献１】特開２００５−２２４４９３号公報
【発明の概要】
【発明が解決しようとする課題】
【０００４】
しかしながら特許文献１記載の従来例においては、装飾部材を構成する一方の装飾用単位体に連結部材を設け、他方の装飾用単位体にも連結部材を設けてそれぞれを連結軸で回動可能に軸着している。
したがってこの従来品によると、装飾用単位部材に多様な形態を採用させるためには連結部材に連結軸をかしめ付ける必要があって、専門の業者に依頼することが必要であって購入者自らが簡単に多様な形態に変形させることはできなかった。
【０００５】
また、前記装飾用単位体は一対の連結部材の先端を連結軸で連結しているものであり、当該連結軸の部分がどうしても装飾用単位体から側方に突き出て見えるため、前記装飾部材を備えた装身具の装飾性が損なわれやすいという問題点があった。
【０００６】
本発明はこのような従来技術の問題点に鑑み、装身具を購入した購入者自らが簡単に多様な形態に変形させることができ、また連結軸の部分が装飾用単位部材から側方に突き出て見えることがなく、前記装飾部材を備えた装身具の装飾性が損なわれないため非常に付加価値の高い、多様な形態を採用可能な装身具を提供することを目的とする。
【課題を解決するための手段】
【０００７】
すなわち本発明の多様な形態を採用可能な装身具は、前記の課題を解決するため、複数の装飾用単位部材を有し、各装飾用単位部材間を連結手段を用いて首振り可能に連結するとともに、適宜位置の装飾用単位部材どうしを保持手段を用いて接続することにより、所望の形態を保持させるようにしたことを特徴とするものである。
【０００８】
本発明の多様な形態を採用可能な装身具において、前記装飾用単位部材は、台座に宝石が爪止め等により取り付けられた宝飾部材からなることをも特徴とするものである。
【０００９】
本発明の多様な形態を採用可能な装身具において、前記各装飾用単位部材間を首振り可能に連結する連結手段は、前記装飾用単位部材の１つの側面に突設された連結アームと、隣接する装飾用単位部材のほぼ中央に立設された回動軸とを備え、この隣接する装飾用単位部材に設けられた開口部から導入された前記連結アームの先端を回動軸に軸着されて回動可能に連結したものであることをも特徴とするものである。
【００１０】
本発明の多様な形態を採用可能な装身具において、前記装飾用単位部材どうしを接続する保持手段は、前記装飾用単位部材の側面に固着された吸着部材からなることをも特徴とするものである。
【００１１】
本発明の多様な形態を採用可能な装身具において、前記吸着部材は、磁石からなることをも特徴とするものである。
【発明の効果】
【００１２】
請求項１の多様な形態を採用可能な装身具は、このように複数の装飾用単位部材の各装飾用単位部材間を連結手段を用いて首振り可能に連結するとともに、適宜位置の装飾用単位部材どうしを保持手段を用いて接続することにより、所望の形態を保持させるものである。
したがって装身具を購入した購入者自らが簡単に多様な形態に変形させることができ、また連結軸の部分が装飾用単位部材から側方に突き出て見えることがなく、前記装飾部材を備えた装身具の装飾性が損なわれることがないため非常に付加価値の高い、多様な形態を採用可能な装身具を提供することができる。
請求項２の多様な形態を採用可能な装身具は、前記装飾用単位部材を台座に宝石が爪止め等により取り付けられた宝飾部材としたものである。
したがって、非常にゴージャスでかつ付加価値の高い装身具を提供することができる。
【００１３】
請求項３の多様な形態を採用可能な装身具は、前記各装飾用単位部材間を首振り可能に連結する連結手段として、前記装飾用単位部材の１つの側面に突設された連結アームと、隣接する装飾用単位部材のほぼ中央に立設された回動軸とを備え、この隣接する装飾用単位部材に設けられた開口部から導入された前記連結アームの先端を回動軸に軸着されて回動可能に連結したものである。
したがって、連結軸の部分が装飾用単位部材から側方に突き出て見えることがなく、前記装飾部材を備えた装身具の装飾性が損なわれることがないため非常に付加価値の高い、多様な形態を採用可能な装身具を提供することができる。
【００１４】
請求項４の多様な形態を採用可能な装身具は、前記装飾用単位部材どうしを接続する保持手段として、前記装飾用単位部材の側面に固着された吸着部材を採用するとともに、請求項５のように前記吸着部材として磁石を採用したものである。
したがって、保持手段が装飾用単位部材から側方に突き出て見えることがなく、前記装飾部材を備えた装身具の装飾性が損なわれることがないため非常に付加価値の高い、多様な形態を採用可能な装身具を提供することができる。
【図面の簡単な説明】
【００１５】
【図１】（ペンダント＝７個の装飾用単位部材）本発明の多様な形態を採用可能な装身具の好適な一実施例を示す正面図である。
【図２】その背面図である。
【図３】その側面図である。
【図４】その斜視図である。
【図５】装飾用単位部材を厚さ方向の所定位置で切断した状態の斜視図である。
【図６】各装飾用単位部材を適宜位置で分解した状態の斜視図である。
【図７】（ａ）は下部の３個の装飾用単位部材を右側に首振りさせた状態の概略背面図、（ｂ）は下部の２個の装飾用単位部材を左側に首振りさせた状態の概略背面図、（ｃ）は最下部の装飾用単位部材を反対側に首振りさせ、下部の４個の装飾用単位部材で菱形を形成した状態の概略背面図である。
【図８】（ａ）は下部の３個の装飾用単位部材を左側に首振りさせた状態の概略斜視図、（ｂ）は下部の２個の装飾用単位部材をさらに反対側に首振りさせた状態の概略斜視図である。
【図９】最下部の装飾用単位部材をさらに首振りさせ、下部の４個の装飾用単位部材で菱形を形成した状態の概略斜視図である。
【図１０】（ａ）は下部の４個の装飾用単位部材で形成した菱形をさらに巻き上げた状態を示す概略正面図、（ｂ）はその概略背面図である。
【図１１】（ピアスイヤリング＝７個の装飾用単位部材）本発明の多様な形態を採用可能な装身具の他の実施例を示す側面図である。
【図１２】（ペンダント＝２列×５個の装飾用単位部材）（ａ）は本発明の多様な形態を採用可能な装身具のさらに別の実施例を示す概略背面図、（ｂ）は各列の最下部の装飾用単位部材を外向きに首振りさせてそれぞれ第３位の装飾用単位部材に連結した状態の概略背面図である。
【図１３】（ペンダント＝２列×５個の装飾用単位部材）（ａ）は各列の下から２個の装飾用単位部材を外向きに巻き上げて最下部の装飾用単位部材を第２位の装飾用単位部材に連結した状態の概略背面図、（ｂ）は下部の装飾用単位部材をさらに巻き上げてそれぞれ第１位の装飾用単位部材に連結した状態の概略背面図である。
【図１４】（ペンダント＝２列×５個の装飾用単位部材）（ａ）は右列の最下部の装飾用単位部材を外向きに巻き上げて最下部の装飾用単位部材を第３位の装飾用単位部材に連結した状態の概略背面図、（ｂ）はさらに下から２個の装飾用単位部材を巻き上げて第２位の装飾用単位部材に連結した状態の概略背面図である。
【図１５】（ペンダント＝２列×５個の装飾用単位部材）（ａ）は右列の下から２個の装飾用単位部材を巻き上げて第２位の装飾用単位部材に連結し、さらに左列の最下部の装飾用単位部材を巻き上げて第３位の装飾用単位部材に連結した状態の概略背面図（ｂ）は図１４（ｂ）の状態からさらに右列の下から３個の装飾用単位部材を巻き上げて第１位の装飾用単位部材に連結した状態の概略背面図である。
【図１６】（指輪＝６個の装飾用単位部材）（ａ）は本発明の多様な形態を採用可能な装身具のさらに別の実施例を示す正面図、（ｂ）はその背面図である。
【図１７】（指輪＝６個の装飾用単位部材）その側面図である。
【図１８】（指輪＝６個の装飾用単位部材）（ａ）は斜め２列の左列の最上部の装飾用単位部材を折り畳んで第３位の装飾用単位部材に連結した状態の概略正面図、（ｂ）はその概略背面図である。
【図１９】（指輪＝６個の装飾用単位部材）（ａ）はさらに斜め２列の右列の最上部の装飾用単位部材を折り畳んで第３位の装飾用単位部材に連結した状態の概略正面図、（ｂ）はその概略背面図である。
【図２０】（ペンダント＝１列×３個の装飾用単位部材）（ａ）は本発明の多様な形態を採用可能な装身具のさらに別の実施例を示す概略正面図、（ｂ）はその概略背面図である。
【図２１】（ペンダント＝１列×３個の装飾用単位部材）（ａ）は最下部の装飾用単位部材を折り返して三角形に配置した概略正面図、（ｂ）はその概略背面図である。
【図２２】（ペンダント＝１列×６個の装飾用単位部材）（ａ）は第４位の装飾用単位部材を折り返して第２位の装飾用単位部材と連結した状態の概略正面図、（ｂ）はその概略背面図である。
【図２３】（ペンダント＝１列×６個の装飾用単位部材）（ａ）は上部３個の装飾用単位部材を折り返して３角形を、また下部３個の装飾用単位部材を折り返して３角形を形成した状態の概略背面図、（ｂ）は下部３個の装飾用単位部材を折り返して装飾用単位部材を斜め２列に形成した状態の概略背面図である。
【発明を実施するための形態】
【００１６】
以下図面に基いて、本発明の多様な形態を採用可能な装身具を実施するための形態を説明する。
図１ないし図１０に示す第１実施例は、本発明の多様な形態を採用可能な装身具を、例えばペンダント、イヤリング、指輪、ブレスレット、ブローチ等に使用する装身具用の下げ飾りとして適用したものである。
すなわち、図１ないし図６に示すように、複数の装飾用単位部材１２が、直線状に連結されて装身具用の下げ飾り１１が形成されている。図において２１はバチカンである。
前記装飾用単位部材１２は、台座１２ａに宝石１２ｂが爪止めや伏せ込み、彫り止め等により取り付けられた宝飾部材からなるものである。そして、各装飾用単位部材１２の底部側の側面には後述の連結手段を構成する連結アーム１２ｃが上向きに突設されている。また、各装飾用単位部材１２の底部側の側面には所定間隔で配置したポスト１２ｄで連結アーム１２ｃの回動を規制する開口部１２ｅが適宜間隔で設けられている。
なお、開口部１２ｅ両側のポスト１２ｄの間隔は、各装飾用単位部材１２における連結アーム１２ｃの首振りの幅に応じて適宜決定されている。
【００１７】
また各装飾用単位部材１２，１２間を連結する連結手段は、下位の装飾用単位部材１２に突設した連結アーム１２ｃを上位の装飾用単位部材１２に設けた開口部１２ｅから装飾用単位部材１２の中空内部に差込み、先端に設けた軸受孔１２ｆに装飾用単位部材のほぼ中央に立設された回動軸１２ｇを差込んで回動可能に保持するようにしてある。したがって、下位の装飾用単位部材１２は適宜方向に首振りさせることができる。なお、各装飾用単位部材１２の底部側の側面に所定間隔で配置した規制ポスト１２ｄのそれぞれの位置は、隣接する装飾用単位部材をどの方向にどの程度首振りさせる必要があるかどうかを見ながら適宜決定すればよい。
【００１８】
前記装飾用単位部材１２は図３ないし図６に示すように、その側壁に吸着部材、好ましくは磁石１３が前記側壁から突出しない状態で取り付けられている。そしてこの磁石１３どうしを吸着させて適宜位置の前記装飾用単位部材１２どうしを接続すれば、装身具に所望の形態を保持させることができるのである。
ちなみに、この実施例においては第１位および第２位の装飾用単位部材どうしが直接連結してあり、連結アーム１２ｃは用いていないが、これは他の装飾用単位部材１２とのバランスに配慮したものである。
【００１９】
このような複数の装飾用単位部材１２からなる装身具用の下げ飾り１１を種々の形態に変形させた例を図７ないし図１０に示す。
図７のペンダント用の下げ飾り１１においては、第１に図７（ａ）および図８（ａ）のように下部の３個の装飾用単位部材１２を片側に首振りさせ、図７（ｂ）および図８（ｂ）のようにさらに下部の２個の装飾用単位部材１２を反対側に首振りさせる。その上で図７（ｃ）および図９に示すように、最下部の装飾用単位部材１２を首振りさせて第４位の装飾用単位部材１２に磁石１３で接続させれば、下部の４個の装飾用単位部材１２で菱形を形成することができる。
図１０（ａ）は下部の４個の装飾用単位部材１２で形成した菱形をさらに巻き上げた状態を示し、また図１０（ｂ）はそれを背面側から見た状態を示すものである。
【００２０】
図１１に示す第２実施例は、本発明の多様な形態を採用可能な装身具を、ピアスイヤリングに適用したものである。
そして該ピアスイヤリング３１は７個の装飾用単位部材３２を連結したものであり、それを種々の形態に変形させる手順は図７ないし図１０の場合と同様であるので省略する。
【００２１】
図１２ないし図１５に示す第３実施例は、本発明の多様な形態を採用可能な装身具を、ペンダントに適用したものである。
そして該ペンダント４１は図１２（ａ）に示すように、１０個の装飾用単位部材４２を５個づつ２列に連結したものであり、本実施例では２列の上部の各２個づつ４個が接合部分を一体的に連結されている。
そしてまず図１２（ｂ）に示すように、各列の最下位の装飾用単位部材４２を連結アーム４２ｃを首振りさせ、内蔵させた磁石４３ａを第３位の装飾用単位部材４２の磁石４３ｄと接合させて跳ね上げた形態としたものである。
【００２２】
さらに図１３（ａ）に示すように、各列の第４位の装飾用単位部材４２を連結アーム４２ｃを首振りさせて跳ね上げ、内蔵させた磁石４３ｂを第２位の装飾用単位部材４２の磁石４３ｅと接合させたものである。次いで図１３（ｂ）に示すように、各列の第３位の装飾用単位部材４２を連結アーム４２ｃを首振りさせて跳ね上げ、内蔵させた磁石４３ｃを第１位の装飾用単位部材４２の磁石４３ｆと接合させたものである。
【００２３】
図１４（ａ）に示す形態は、片方の列の第５位の装飾用単位部材４２を連結アーム４２ｃを首振りさせて跳ね上げ、内蔵させた磁石４３ａを第３位の装飾用単位部材４２の磁石４３ｄと接合させたものである。次いで図１４（ｂ）に示すように、当該の列の第４位の装飾用単位部材４２を連結アーム４２ｃを首振りさせて跳ね上げ、内蔵させた磁石４３ｂを第２位の装飾用単位部材４２の磁石４３ｅと接合させてある。
【００２４】
図１５（ａ）に示す形態は、片方の列の第４位の装飾用単位部材４２を連結アーム４２ｃを首振りさせて跳ね上げ、内蔵させた磁石４３ｂを第２位の装飾用単位部材４２の磁石４３ｅと接合させた上、他方の列の第５位の装飾用単位部材４２を連結アーム４２ｃを首振りさせて跳ね上げ、内蔵させた磁石４３ａを第３位の装飾用単位部材４２の磁石４３ｄと接合させたものである。
図１５（ｂ）では、当該の列の第３位の装飾用単位部材４２を連結アーム４２ｃを首振りさせて跳ね上げ、第５位の装飾用単位部材４２に内蔵させた磁石４３ｃを第１位の装飾用単位部材４２の磁石４３ｆと接合させてある。なお、他方の列の装飾用単位部材４２は直線状のままである。
このように、各列の装飾用単位部材４２を首振りさせるだけで適宜の形態に変形させることができるので、購入者自らが簡単に多様な形態に変形させることができる。
【００２５】
図１６ないし図１９に示す第４実施例は、本発明の多様な形態を採用可能な装身具を、指輪に適用したものである。
そして該指輪５１は図１６（ａ）および（ｂ）に示すように、６個の装飾用単位部材５２を３個づつ斜めに２列連結したものであり、本実施例では斜め上に位置する片方の列の上部の２個の装飾用単位部材５２と、斜め下に位置するもう片方の列の下部の２個の装飾用単位部材５２が接合部分を一体的に連結されている。図１７はその側面図である。
【００２６】
そしてまず図１８（ａ）および（ｂ）に示すように、斜め下に位置する片方の列の最上部の装飾用単位部材５２を連結アーム５２ｃを首振りさせ、内蔵させた磁石５３ａを第３位の装飾用単位部材５２の磁石５３ｂと接合させた形態としたものである。
また図１９（ａ）および（ｂ）に示すように、斜め上に位置する片方の列の最下部の装飾用単位部材５２を連結アーム５２ｃを首振りさせ、内蔵させた磁石５３ｃを第１位の装飾用単位部材５２の磁石５３ｄと接合させた形態とすることができる。
【００２７】
図２０および図２１に示す第５実施例は、本発明の多様な形態を採用可能な装身具を、ペンダントに適用したものである。
すなわち該ペンダント６１は図２０（ａ）および（ｂ）に示すように、バチカン等に首振り自在に取り付けた３個の装飾用単位部材６２を直線状に連結したものである。
そして図２１（ａ）および（ｂ）に示すように、最下部の装飾用単位部材６２を連結アーム６２ｃを首振りさせ、内蔵させた磁石６３ａを第１位の装飾用単位部材６２の磁石６３ｂと接合させた形態としたものである。
【００２８】
図２２および図２３に示す第６実施例も、本発明の多様な形態を採用可能な装身具を、ペンダントに適用したものである。
すなわち該ペンダント７１は図２２（ａ）および（ｂ）に示すように、６個の装飾用単位部材７２を直線状に連結し、その中間に位置する第３位および第４位の装飾用単位部材７２を横並びとしたものである。その際には、第４位の装飾用単位部材７２の磁石７３ａは第２位の装飾用単位部材７２の磁石７３ｂに接合し、第５位の装飾用単位部材７２の磁石７３ｃは第３位の装飾用単位部材７２の磁石７３ｄに接合している。
【００２９】
そして図２３（ａ）に示すように６個の装飾用単位部材７２で形成した２つの三角を連結したものとしたり、図２３（ｂ）に示すように６個の装飾用単位部材７２を３個づつ斜めに２列連結したものとすることができる。
図２３（ａ）の場合には、第１位の装飾用単位部材７２の磁石７３ｅは第３位の装飾用単位部材７２の磁石７３ｆに接合し、第６位の装飾用単位部材７２の磁石７３ｇは第４位の装飾用単位部材７２の磁石７３ｈに接合している。
また、図２３（ｂ）の場合には、第６位の装飾用単位部材７２の磁石７３ｉは第１位の装飾用単位部材７２の磁石７３ｅに接合し、第５位の装飾用単位部材７２の磁石７３ｃは第３位の装飾用単位部材７２の磁石７３ｆに接合している。
【産業上の利用可能性】
【００３０】
本発明の多様な形態を採用可能な装身具は、前記実施例で説明したようなペンダント、イヤリング、指輪のほか、ブレスレット、ブローチ等のみならず、装飾用途に使用する種々の装身具に適用することができる。
また、前記装飾用単位部材としては貴金属製の台座に宝石が爪止めや伏せ込み、彫り止め等により取り付けられた宝飾部材だけでなく、素材に金属や合成樹脂等を用いた低価格のアクセサリー等にも応用することができることはいうまでもない。
【符号の説明】
【００３１】
１１  装身具用の下げ飾り
１２  装飾用単位部材
１２ａ  台座
１２ｂ  宝石
１２ｃ  連結アーム
１２ｄ  規制ポスト
１２ｅ  開口部
１２ｆ  軸受孔
１２ｇ  回動軸
１３  磁石
２１  バチカン
３１  ピアスイヤリング
３２  装飾用単位部材
４１  ペンダント
４２  装飾用単位部材
４２ｃ  連結アーム
４３ａ  磁石
４３ｂ  磁石
４３ｃ  磁石
４３ｄ  磁石
４３ｅ  磁石
４３ｆ  磁石
５１  指輪
５２  装飾用単位部材
５２ｃ  連結アーム
５３ａ  磁石
５３ｂ  磁石
５３ｃ  磁石
５３ｄ  磁石
６１  ペンダント
６２  装飾用単位部材
６２ｃ  連結アーム
６３ａ  磁石
６３ｂ  磁石
７１  ペンダント
７２  装飾用単位部材
７３ａ  磁石
７３ｂ  磁石
７３ｃ  磁石
７３ｄ  磁石
７３ｅ  磁石
７３ｆ  磁石
７３ｇ  磁石
７３ｈ  磁石
７３ｉ  磁石
【図１】
2017205243.tif 000003
【図２】
2017205243.tif 000004
【図３】
2017205243.tif 000005
【図４】
2017205243.tif 000006
【図５】
2017205243.tif 000007
【図６】
2017205243.tif 000008
【図７】
2017205243.tif 000009
【図８】
2017205243.tif 000010
【図９】
2017205243.tif 000011
【図１０】
2017205243.tif 000012
【図１１】
2017205243.tif 000013
【図１２】
2017205243.tif 000014
【図１３】
2017205243.tif 000015
【図１４】
2017205243.tif 000016
【図１５】
2017205243.tif 000017
【図１６】
2017205243.tif 000018
【図１７】
2017205243.tif 000019
【図１８】
2017205243.tif 000020
【図１９】
2017205243.tif 000021
【図２０】
2017205243.tif 000022
【図２１】
2017205243.tif 000023
【図２２】
2017205243.tif 000024
【図２３】
2017205243.tif 000025